(57)【要約】【課題】  本発明の目的は、軸流ファンモータを各種装置に組み込んだ状態おいても、モータ等の振動によって発生する固体伝播音を低減できる低騒音の軸流ファンモータを提供することにある。即ち、軸流ファンモータの流体音等の空気伝播音、及び、振動等の固体伝播音を低減する。【解決手段】  ベンチュリ底部に複数の開口部を持つことを特徴とした軸流ファンモータにより達成できる。このようにすると、開口部を設けていないときには、ネームプレート部に大きな振動が発生して、振動騒音の問題に発展する場合があるが、本発明では、ベンチュリ底部１に開口部を複数設けることにより、空気伝播音及び固体伝播音を低減できる。【選択図】  図１
2006161688.tif 000002
【特許請求の範囲】
【請求項１】
回転することにより空気の流れを生じさせるプロペラと、前記プロペラを駆動するモータと、モータが固定されているベンチュリ底部と、
前記プロペラの外周に隙間を開けて設けられ、外周形状がほぼ四角形の外枠部と内周形状がほぼ円筒形のベルマウス部を有し、前記ベンチュリ底部と前記外枠部とを脚部で連結されたベンチュリとで構成された軸流ファンモータにおいて、
前記ベンチュリ底部に複数の開口部を持つことを特徴とした軸流ファンモータ。
【請求項２】
請求項1において、ベンチュリ底部の開口位置は、配線用の開口部の他に開口部を設けない状態で、ファンを稼動させたときに振動レベルが大きいところに１個所以上設置することを特徴とした軸流ファンモータ。
【請求項３】
請求項１において、ベンチュリ底部の開口には、電子部品で実装高さの高い電子部品を配置することを特徴とした軸流ファンモータ。
【請求項４】
請求項１において開口部を含むベンチュリ底部にはラベルを貼り、塵の進入を防ぐことを特徴とした軸流ファンモータ。
【請求項５】
請求項1記載の軸流ファンモータを搭載したＯＡ・ＩＴ機器及び家電製品。
【発明の詳細な説明】
【技術分野】
【０００１】
本発明は軸流ファンモータに及びそれを搭載したＯＡ・ＩＴ機器及び家電製品に関するものである。
【背景技術】
【０００２】
家電製品、各種ＯＡ・ＩＴ機器には冷却用の軸流ファンモータが多数使用されている。このような製品では発熱量や製品コストの低減のため、大風量化の要求が出ている。風量の増加にともない、電磁加振力や羽根回転による騒音が大きくなる傾向にある。一方、快適環境の追求により騒音低減の要求が大きくなってきており、それに対する技術も開発されている。
【０００３】
軸流ファンモータを組み込んだ製品の騒音低減技術としてはたとえば以下のようなものが挙げられる。
特開２００２−１８８５９９号公報では、ベンチュリの外周部にエアポケットを設けるとともに、脚形状を工夫することにより乱流騒音の抑制し、エネルギー効率の向上を図っている。
特開２００２−２６７３１９号広報では、ベンチュリの内径形状を風上から風下へ向けて拡開するラッパ状にすることにより流体音の低減を図っている。
特開平６−２４０１４５号公報では、ベンチュリの吐出側の開き角度を吸気側の角度に応じて決定し流体音の低減を図っている。
【０００４】
【特許文献１】特開２００２−１８８５９９号
【特許文献１】特開２００２−２６７３１９号
【特許文献１】特開平６−２４０１４５号
【発明の開示】
【発明が解決しようとする課題】
【０００５】
しかしながら、上述のような発明においては、羽根の回転によって発生する流体音の低減には効果があるが、モータの振動等によって発生する固体伝播音の低減には効果がないという問題がある。
本発明の目的は、軸流ファンモータを各種装置に組み込んだ状態おいても、モータ等の振動によって発生する固体伝播音を低減できる低騒音の軸流ファンモータを提供することにある。
【課題を解決するための手段】
【０００６】
上記目的は、回転することにより空気の流れを生じさせるプロペラと、前記プロペラを駆動するモータと、モータが固定されているベンチュリ底部と、前記プロペラの外周に設けられ、外周形状がほぼ四角形の外枠部と内周形状がほぼ円筒形のベルマウス部を有し、前記ベンチュリ底部と前記外枠部とを脚部で連結されたベンチュリとで構成された軸流ファンモータにおいて、
前記ベンチュリ底部に複数の開口部を持つことを特徴とした軸流ファンモータにより達成できる。このようにすると、開口部を設けていないときには、ネームプレート部に大きな振動が発生して、振動騒音の問題に発展する場合があるが、本発明では、ベンチュリ底部の振動が抑制されるために、振動騒音問題を回避することが可能となる。
【発明の効果】
【０００７】
本発明によれば、ベンチュリ底部に開口部を設けることにより、ベンチュリ底部の振動低減及びベンチュリ底部の音響放射面積が小さくなることによるため、ファンの振動騒音が低減できる。このファン振動低減により、このファンを組み込み搭載したＯＡ・ＩＴ機器及び家電製品の低振動化及び低騒音化を図ることができる。
【発明を実施するための最良の形態】
【０００８】
本発明の軸流ファンモータの構造は、プロペラ、モータ、ベンチュリ等から構成される。ここで、モータから発生する振動は、ベンチュリに伝播してから、ファンモータを支持する筐体に振動が伝わる。そして、この振動が大きいと振動や騒音の問題が発生してしまう。本発明では、この振動や騒音を抑制することを目的とする。
加振源であるモータの振動を抑制は、図１のように行う。図１に示すように、ベンチュリ底部には開口部を設けている。この開口部の位置設定は、開口部を設けないときに、ベンチュリ底部の振動が大きいところに開口部を１つ以上設定する。このようにして開口部を設置すると、次の２つの効果が生まれる。1つは、開口部には、振動が発生しないため、ベンチュリ底部での振動が抑制され、軸流ファンから筐体への振動が抑制される。もう一つは、ベンチュリ底部の振動面積が小さくなるため、この部分からの音響放射面積が小さくなる効果で、振動騒音が小さくなる。
【実施例１】
【０００９】
以下、本発明の実施の形態について図を用いて説明する。図１は、本発明の特徴を表している図である。まず、図２に軸流ファンモータの全体構成図を示す。同図に示すように、軸流ファンモータは、回転することにより空気の流れを生じさせるプロペラ１と、プロペラ１を駆動するモータ２と、前記プロペラ１の羽根先端から隙間を空けて設けられているベンチュリ６とから構成されている。また、モータ２はベンチュリ底部３の上に組み込まれており、プロペラ１はモータ２を包み込むように取り付けられている。
図１は、図２で示したベンチュリ底部の部分を表している。従来のベンチュリ底部は、図３に示すように基板から配線用のコードを引き出すための開口部１０１のみが存在していた。本発明では、ベンチュリ底部に配線用の開口を含めて複数の開口部が存在することを特長としている。これらの開口部により、軸流ファンの振動や騒音の低減が可能になる。
ネームプレートの上には、モータが存在する。モータは、軸流ファンの加振源である。この加振源からの振動は、ベンチュリに伝わり、ベンチュリから軸流ファンを組み込んだ家電品等の機器に伝播する。この伝播した振動が原因で、振動騒音問題が発生してしまう場合がある。
【００１０】
従来のネームプレートには、リード線対応の開口部のみを設けているが、加振源であるモータからの振動は、ネームプレートを伝播経路として、ファンが組み込まれた機器に振動を伝える。このため、振動の伝播経路上で振動低減が実現できれば、不要な振動を機器に伝えず、振動騒音問題が発生する可能性が低くなる。
ネームプレートに開口を設けると、開口部の振動は消滅し、各種の振動モードも変化する。また、ベンチュリ底部からの音響放射についても、開口面積が小さくなるため、騒音低減が可能となる。
図４に本発明を適用したベンチュリ底部の振動振幅結果と従来の振動振幅の計測結果例を示す。この図から、開口部を設けた図４の振動振幅が小さいことがわかる。以上から、ベンチュリ底部に開口部を設けたときには、振動低減効果が得られることがわかる。
【実施例２】
【００１１】
図５は、本発明の軸流ファンモータ１１を冷蔵庫１２に取り付けた図である。同図に示すように、軸流ファン１１は冷蔵庫１２内部の所定の位置に配置される。ベンチュリ６の周囲にウレタン等の緩衝材を巻き取り付けられる。
一般に、本発明の軸流ファンモータ１１のような冷蔵庫内の冷却ファンは、引き出し、もしくは、ドア１３〜１６が開けられた時に運転を停止する場合と停止しない場合があるが、本発明では、後者を考える。
この場合、冷蔵庫１２の引き出し、もしくは、ドア１３〜１６を開けると、軸流ファンモータ１１の騒音がユーザに聞こえる。従って、軸流ファンモータ１１からの騒音を低減することは、快適環境の創生の観点から重要なことである。
本発明の軸流ファンモータ１１は、上述の通り、軸流ファン自体の振動を低減できるため、ユーザにとって快適な環境を提供できる。
なお、本発明の軸流ファンモータは冷蔵庫だけでなく、冷却を必要とする他の家電製品及びＯＡ機器にも適用可能である。
【産業上の利用可能性】
【００１２】
本発明の軸流ファンモータは、冷蔵庫を始めとする家電製品及びＯＡ・ＩＴ機器に適用可能である。
【図面の簡単な説明】
【００１３】
【図１】本発明の軸流ファンモータのベンチュリを吐出側から見た図である。
【図２】本発明の軸流ファンモータの断面図である。
【図３】従来の軸流ファンモータのベンチュリ底部を示す図である。
【図４】本発明と従来品とのベンチュリ底部の振動計測結果を比較する図である。
【図５】本発明の軸流ファンモータを冷蔵庫に取り付けた図である。
【符号の説明】
【００１４】
１・・・プロペラ、２・・・モータ、３・・・ベンチュリ底部、
４・・・ベルマウス部、５・・・脚部、６・・・ベンチュリ、９・・・外枠部、１１・・・軸流ファンモータ、１２・・・冷蔵庫、１３〜１６・・・引き出し、もしくは、ドア
１００・・・開口部、１０１・・・配線のための開口部
【図１】
2006161688.tif 000003
【図２】
2006161688.tif 000004
【図３】
2006161688.tif 000005
【図４】
2006161688.tif 000006
【図５】
2006161688.tif 000007